(57)【要約】【課題】球面収差補正部を備えた機構を必要とせずに、球面収差が発生する光ディスクを的確に判別し、信号品質を確保できる光ディスク装置を提供する。【解決手段】  光ディスク装置は、表面からの情報記録層の深さが異なる複数種類の光ディスクの各々から、データを読み出すことが可能である。光ディスクが装填されたときにおいて、光ディスク装置のサーボ制御部は、レンズから光ディスクまでの距離を変化させてフォーカス位置を調整するための第１駆動信号、および、光ディスクに対するレンズの角度を変化させてレンズのチルトを調整するための第２駆動信号の少なくとも一方を変化させて、フォーカス位置およびチルトの組み合わせによって定まる設定を変化させる。また、信号品質測定部は、設定の変化に応じて、反射光信号の品質を評価するための指標値を複数測定する。そして光ディスク装置は、複数の指標値に基づいて装填された光ディスクの種類を判別し、判別した光ディスクからデータを読み出す。【選択図】図９
2009123322.tif 000002
【特許請求の範囲】
【請求項１】
表面からの情報記録層の深さが異なる複数種類の光ディスクの各々から、データを読み出すことが可能な光ディスク装置であって、
光ビームを放射する光源と、
前記光ビームを集束させるレンズと、
光ディスクの情報記録層で反射した前記光ビームを受けて、反射光信号を出力する受光部と、
前記レンズから前記光ディスクまでの距離を変化させてフォーカス位置を調整するための第１駆動信号を生成し、前記光ディスクに対する前記レンズの角度を変化させて前記レンズのチルトを調整するための第２駆動信号を生成するサーボ制御部と、
前記反射光信号に基づいて、前記反射光信号の品質を評価するための指標値を測定する信号品質測定部と、
を備え、光ディスクが装填されたときにおいて、
前記サーボ制御部は、前記第１駆動信号および前記第２駆動信号の少なくとも一方を変化させて、前記フォーカス位置および前記チルトの組み合わせによって定まる設定を変化させ、
前記信号品質測定部は、前記設定の変化に応じて前記指標値を複数測定し、
複数の前記指標値に基づいて、装填された光ディスクの種類を判別し、判別した前記光ディスクからデータを読み出す、光ディスク装置。
【請求項２】
前記複数種類の光ディスクは、規格が定められた第１光ディスク、および、前記第１光ディスクと異なる種類の第２光ディスクを含んでおり、
前記指標値が小さいほど前記信号品質がよいと評価されるときにおいて、
求めた指標値のうちで最大の指標値が第１閾値以下のときは、前記光ディスク装置は、前記第１光ディスクが装填されたと判別し、
前記サーボ制御部は、前記第１駆動信号および前記第２駆動信号の少なくとも一方を変化させることにより、前記設定を前記第１光ディスク用に予め定義された設定に変更する、請求項１に記載の光ディスク装置。
【請求項３】
前記最大の指標値が前記第１閾値より大きいときにおいて、
前記サーボ制御部は、前記設定をさらに変化させるよう、前記第１駆動信号および前記第２駆動信号の少なくとも一方を追加的に変化させ、
前記信号品質測定部は、前記設定の変化に応じて、少なくとも１つの指標値を追加的に測定し、
前記最大の指標値に対する、前記少なくとも１つの指標値のうちの最小の指標値の変化量が、第２閾値以上のときは、前記光ディスク装置は、前記第２光ディスクが装填されたと判別し、
前記サーボ制御部は、前記第１駆動信号および前記第２駆動信号の少なくとも一方を変化させることにより、前記設定を前記最小の指標値を与えたときの設定に変更する、請求項２に記載の光ディスク装置。
【請求項４】
前記最大の指標値に対する、前記最小の指標値の変化量が前記第２閾値よりも小さいときは、前記光ディスク装置は、前記第１光ディスクが装填されたと判別し、
前記サーボ制御部は、前記第１駆動信号および前記第２駆動信号の少なくとも一方を変化させることにより、前記設定を前記第１光ディスク用に予め定められている設定に変更する、請求項３に記載の光ディスク装置。
【請求項５】
複数の設定に基づいて定まる前記フォーカス位置の変化量および前記チルトの変化量に関し、前記最大の指標値を求めたときの複数の設定に基づいて定まる変化量よりも、前記最小の指標値を求めたときの複数の設定に基づいて定まる変化量の方が大きい、請求項３に記載の光ディスク装置。
【請求項６】
前記サーボ制御部は、前記反射光信号に基づいてトラッキングエラー信号をさらに変化させ、
前記設定を変化させた場合には、前記サーボ制御部は、前記反射光信号に基づいてトラッキングエラー信号の設定を変化させ、前記トラッキングエラー信号を調整する、請求項１に記載の光ディスク装置。
【請求項７】
前記信号品質測定部は、前記指標値として、前記反射光信号に基づいて求められるジッタ値およびサーボ信号の信号値の少なくとも１つを測定する、請求項４に記載の光ディスク装置。
【請求項８】
前記第１光ディスクであるコンパクトディスク、および、
前記第２光ディスクであるデュアルディスクであって、コンパクトディスクのデータが記録された情報記録層およびＤＶＤの規格に対応した情報記録層とを有するデュアルディスクの各々からデータを読み出すことが可能な、請求項２に記載の光ディスク装置。
【発明の詳細な説明】
【技術分野】
【０００１】
本発明は、円盤状の情報担体（以下、「光ディスク」と称する。）に対するデータの記録、および、光ディスクに記録されたデータの再生の少なくとも一方を行う光ディスク装置に関する。より具体的には、本発明は、複数種類の光ディスクの判別を行うことが可能な光ディスク装置に関する。
【背景技術】
【０００２】
近年、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）、ＢＤ(Ｂｌｕ−ｒａｙ  Ｄｉｓｃ)等の多くの種類の光ディスクが実用化されている。
【０００３】
これらの光ディスクは、光ディスクの種類に応じて異なる特性を有している。そのような特性として、たとえば、反射率（光ディスクに照射した光量と反射した光量の割合）特性、ウォブル（ディスクにスパイラル状に刻まれた周期的なうねり）特性、フォーカスエラー信号(光ビームの焦点の位置が常に情報層上に位置するように対物レンズの位置を情報記録層の法線方向に制御するための制御信号)特性が挙げられる。
【０００４】
種々の種類の光ディスクを利用して情報の再生や記録を行うためには、光ディスク装置が現在装填されているディスクの種類を特定する「ディスク判別」と呼ばれる処理を行う必要がある。
【０００５】
ディスク判別は、光ディスクの特性の違いを利用して行われる。たとえば、光ディスク装置は、先に説明した光ディスクの反射率、ウォブルの周期、および／または、フォーカスエラー信号の振幅を測定して装填された光ディスクの特性を特定することにより、光ディスクの種類を判別している。
【０００６】
また、上記の光ディスクのうち、例えばＢＤに関しては、球面収差の発生が問題となる。すなわち、球面収差が発生すると、記録や再生の品質が劣化することが知られている。そこで、ＢＤに対応する光ディスク装置には球面収差を補正する機構が設けられている。
【０００７】
図１は、球面収差が発生している状態を示す。「球面収差」とは、対物レンズ１０１の中心部を通過する光ビーム（破線）のフォーカス位置と、対物レンズの周辺部を通過する光ビーム（実線）のフォーカス位置とが光軸方向に沿ってずれる現象をいう。なお、図１において破線で示される光ビームのフォーカス位置と、実線で示される光ビームのフォーカス位置とのずれの大きさを「球面収差」と称する場合もある。
【０００８】
球面収差は種々の要因で変化する。その要因の例は、光ビームの波長、対物レンズの開口数（ＮＡ）、光ビームが入射する表面から情報記録層までの深さまたは距離（以下「表面から情報記録層までの深さ」と記述する。）である。ＢＤ規格に基づいて作製された光ディスクであっても、表面から情報記録層までの深さが僅かに（規格において許容された範囲内で）異なっていたり、光軸に対して光ディスクが傾斜しているだけで球面収差は変化する。このため、記録・再生の品質が球面収差の影響を受けやすい光ディスク（たとえばＢＤ）に対して情報の記録・再生を行う際には、光ディスク装置が球面収差の補正処理を行う必要がある。
【０００９】
たとえば特許文献１では、光ビームを放射する光源とその光ビームを集束するための対物レンズとの間に、球面収差を補正する機構（球面収差補正部）を備えている。装填された光ディスクに応じて球面収差補正部を制御し、球面収差を最小化する（球面収差補正量を最適化する）ことで上述の補正処理を実現している。さらに、特許文献１の光ディスク装置では、球面収差補正部の設定を変化させて、複数の球面収差状態における信号の変化割合を検知することで、光ディスクの表面から情報記録層までの距離のばらつきや、光ディスクの記録状態の影響を受けないディスク判別処理を実現している。
【特許文献１】特開２００７−１２２８５０号公報
【発明の開示】
【発明が解決しようとする課題】
【００１０】
球面収差が発生する光ディスクの種類を判別し、信号品質を確保するために、従来は特許文献１に記載されているような球面収差を補正する機構（ハードウェア）を備えた光ディスク装置を使用していた。しかしながら、そのような機構を設けることは、光ディスク装置の製造コストが上がる原因となる。特に、光ディスク装置のＤＶＤ，ＣＤ光学系においては、コストが抑えられた機構が主流となっているため、コストの上昇を伴う機構を追加することは好ましくない。
【００１１】
上述した複数種類の光ディスクの仕様は、その各々に対応する規格に基づいて策定されている。近年は、デュアルディスク（ＤｕａｌＤｉｓｃ）と呼ばれる、規格化されていない光ディスクが実用化され市場に流通しており、そのような光ディスクの再生を行うことも必要とされている。
【００１２】
デュアルディスクは、ＤＶＤ規格に準拠する情報記録層（以下、「ＤＶＤ面」と称する。）と、ＣＤデータが記録された情報記録層（以下「ＣＤ面」と称する。）とを有する、再生専用の光ディスクである。デュアルディスクは、ＤＶＤ面を有する基板とＣＤ面を有する基板とを張り合わせて作製される。
【００１３】
図２（ａ）はＣＤ規格に準拠したＣＤ（以下「通常のＣＤ」と称する。）２００を再生している様子を示し、図２（ｂ）はデュアルディスク２０１のＣＤ面を再生している様子を示す。
【００１４】
図２（ａ）に示す通常のＣＤ２００では、対物レンズ１０１を通過した光ビームは情報記録層２０３上で合焦している。ＣＤ２００の表面から情報記録層２０３までの距離は約１.１ｍｍであり、規格で想定された合焦状態が実現されている。
【００１５】
一方、図２（ｂ）に示すデュアルディスクでは、対物レンズ１０１を通過した光ビームはＣＤ面２０２上で合焦していない。その理由は、表面からＣＤ面２０２までの距離が約０.９ｍｍであり通常のＣＤ２００よりも薄く、ＣＤ規格に準拠していないためである。
【００１６】
よって、通常のＣＤ２００と同じ設定でデュアルディスク２０１のＣＤ面２０２を再生しようとすると、光ビームは情報記録層２０２上に合焦せず、さらに球面収差が発生するため信号品質は悪くなる。したがって情報を再生することは困難である。
【００１７】
さらに、表面から情報記録層までの深さの違いにより、球面収差以外に非点収差やコマ収差も発生することが知られている。非点収差やコマ収差もまた、信号品質が悪くなる要因の一つであることが知られている。
【００１８】
上記のように表面から情報記録層までの深さが規格値と異なり、かつ、種々の収差が発生する光ディスクの再生を保証するためには、信号品質を高める工夫が必要である。このとき、特許文献１のようなコストの上昇を伴う機構を用いることなく、光ディスク装置のコストを抑えることも要求されている。
【００１９】
本発明は上記課題に鑑みてなされたものであり、その目的は、球面収差を補正するための機構を必要とせずに、球面収差が発生する光ディスクの判別および信号品質の確保を行うことが可能な光ディスク装置を提供することである。
【課題を解決するための手段】
【００２０】
本発明による光ディスク装置は、表面からの情報記録層の深さが異なる複数種類の光ディスクの各々から、データを読み出すことが可能であり、光ビームを放射する光源と、前記光ビームを集束させるレンズと、光ディスクの情報記録層で反射した前記光ビームを受けて、反射光信号を出力する受光部と、前記レンズから前記光ディスクまでの距離を変化させてフォーカス位置を調整するための第１駆動信号を生成し、前記光ディスクに対する前記レンズの角度を変化させて前記レンズのチルトを調整するための第２駆動信号を生成するサーボ制御部と、前記反射光信号に基づいて、前記反射光信号の品質を評価するための指標値を測定する信号品質測定部とを備え、光ディスクが装填されたときにおいて、前記サーボ制御部は、前記第１駆動信号および前記第２駆動信号の少なくとも一方を変化させて、前記フォーカス位置および前記チルトの組み合わせによって定まる設定を変化させ、前記信号品質測定部は、前記設定の変化に応じて前記指標値を複数測定し、複数の前記指標値に基づいて、装填された光ディスクの種類を判別し、判別した前記光ディスクからデータを読み出す。
【００２１】
前記複数種類の光ディスクは、規格が定められた第１光ディスク、および、前記第１光ディスクと異なる種類の第２光ディスクを含んでおり、前記指標値が小さいほど前記信号品質がよいと評価されるときにおいて、求めた指標値のうちで最大の指標値が第１閾値以下のときは、前記光ディスク装置は、前記第１光ディスクが装填されたと判別し、前記サーボ制御部は、前記第１駆動信号および前記第２駆動信号の少なくとも一方を変化させることにより、前記設定を前記第１光ディスク用に予め定義された設定に変更してもよい。
【００２２】
前記最大の指標値が前記第１閾値より大きいときにおいて、前記サーボ制御部は、前記設定をさらに変化させるよう、前記第１駆動信号および前記第２駆動信号の少なくとも一方を追加的に変化させ、前記信号品質測定部は、前記設定の変化に応じて、少なくとも１つの指標値を追加的に測定し、前記最大の指標値に対する、前記少なくとも１つの指標値のうちの最小の指標値の変化量が、第２閾値以上のときは、前記光ディスク装置は、前記第２光ディスクが装填されたと判別し、前記サーボ制御部は、前記第１駆動信号および前記第２駆動信号の少なくとも一方を変化させることにより、前記設定を前記最小の指標値を与えたときの設定に変更してもよい。
【００２３】
前記最大の指標値に対する、前記最小の指標値の変化量が前記第２閾値よりも小さいときは、前記光ディスク装置は、前記第１光ディスクが装填されたと判別し、前記サーボ制御部は、前記第１駆動信号および前記第２駆動信号の少なくとも一方を変化させることにより、前記設定を前記第１光ディスク用に予め定められている設定に変更してもよい。
【００２４】
複数の設定に基づいて定まる前記フォーカス位置の変化量および前記チルトの変化量に関し、前記最大の指標値を求めたときの複数の設定に基づいて定まる変化量よりも、前記最小の指標値を求めたときの複数の設定に基づいて定まる変化量の方が大きくてもよい。
【００２５】
前記サーボ制御部は、前記反射光信号に基づいてトラッキングエラー信号をさらに変化させ、前記設定を変化させた場合には、前記サーボ制御部は、前記反射光信号に基づいてトラッキングエラー信号の設定を変化させ、前記トラッキングエラー信号を調整してもよい。
【００２６】
前記信号品質測定部は、前記指標値として、前記反射光信号に基づいて求められるジッタ値およびサーボ信号の信号値の少なくとも１つを測定してもよい。
【００２７】
前記光ディスク装置は、前記第１光ディスクであるコンパクトディスク、および、前記第２光ディスクであるデュアルディスクであって、コンパクトディスクのデータが記録された情報記録層およびＤＶＤの規格に対応した情報記録層とを有するデュアルディスクの各々からデータを読み出すことが可能であってもよい。
【発明の効果】
【００２８】
本発明の光ディスク装置は、フォーカス位置およびチルトの設定を変化させることにより球面収差が発生する光ディスクのディスク判別を行うことができる。また、フォーカス位置の設定を変更することにより、スポット径を補正することが可能となり、チルトの設定値を変更することにより球面収差以外の非点収差やコマ収差の補正を行うことができる。このように、上記の２つのパラメータを変更することにより、信号品質を確保することができる。
【００２９】
以上から、本発明の光ディスク装置は、球面収差補正を行うための球面収差補正部を備えた機構を必要としないため、光ディスク装置のコストを抑えることができる。
【発明を実施するための最良の形態】
【００３０】
以下、本発明による光ディスク装置の実施形態を説明する。
【００３１】
図３（ａ）および（ｂ）は、それぞれ、コンパクトディスク（ＣＤ）２００およびデュアルディスク２０１の断面を概略的に示している。簡単のため、ピットやグルーブなどの凹凸構造や反射層などの記載は省略する。
【００３２】
図３（ａ）のＣＤ２００は、光ビームが入射する側の面（表面）３０２および裏面（レーベル面）３０１を有し、それらの間に少なくとも１つの情報記録層３０３を有している。光ディスクの裏面３０１には、タイトルやグラフィックスのプリントを含むレーベル層３０４が設けられている。全体の厚さは１．２ｍｍであり、直径は１２ｃｍである。なお、直径は８ｃｍでも良い。情報記録層３０３は、表面３０２から約１.１ｍｍの深さに位置している。ＣＤ２００の情報記録層３０３からデータを読み出すには、波長約７８５ｎｍの近赤外レーザを集束し、その焦点が情報記録層３０３上に位置するように制御を行う必要がある。
【００３３】
図３（ｂ）のデュアルディスク２０１は、ＣＤとＤＶＤのそれぞれの裏面を張り合わせた構造を有している。デュアルディスク２０１は、一方にＣＤ用レーザ光が入射する表面（光入射側表面）３０６を有し、他方にＤＶＤ用レーザ光が入射する表面（光入射側表面）３０８を有している。デュアルディスク２０１には、ＣＤ２００のレーベル層３０４に相当する層は存在しない。
【００３４】
デュアルディスク２０１の情報記録層はＣＤ面３０７とＤＶＤ面３０９の２層ある。ＣＤ面３０７は表面３０６から約０．９ｍｍの深さに位置している。ＤＶＤ面３０９は表面３０８から約０．６ｍｍの深さに位置している。
【００３５】
デュアルディスク２０１のＣＤ面３０７の位置は通常のＣＤの情報記録層の位置よりも浅い点において、デュアルディスク２０１および通常のＣＤは、物理構造が異なっている。そのため、デュアルディスクのＣＤ面３０７に対して通常のＣＤの最適なフォーカス位置に焦点を合わせる制御を行うと、球面収差や非点収差やコマ収差が発生し、記録や再生の品質が劣化する。
【００３６】
次に、図４および図５を参照しながら、本発明による光ディスク装置の動作原理を説明する。本発明は、フォーカス位置とチルトの設定値を変更して球面収差が発生する光ディスクの信号品質を確保する。
【００３７】
まず、図４を参照して、フォーカス位置による合焦点補正の原理を説明する。図４（ａ）は通常のＣＤを再生している様子を示し、（ｂ）は通常のＣＤのフォーカス位置の設定でデュアルディスクのＣＤ面を再生している様子を示し、（ｃ）は（ｂ）の状態から対物レンズ１０１を光入射面から遠ざけたフォーカス位置の設定で再生している様子を示している。
【００３８】
図４（ａ）では、焦点が情報記録層４０１上に位置している。一方、図４（ｂ）では、表面から情報記録層４０２までの距離が短いため情報記録層４０２上に合焦せず、情報記録層４０２上のスポットサイズがトラックピッチに対して大きくなる。
【００３９】
図４（ｃ）では、対物レンズ１０１を光入射面４００に対して遠ざける方向にずらし、焦点がデュアルディスクのＣＤの情報記録層４０２に位置するようにフォーカス位置を設定したため、情報記録層４０２上のスポットサイズが小さくなっている。このフォーカス位置の変更により、隣接トラックの影響が軽減され、信号品質が向上する。
【００４０】
ただし、ＣＤ規格に対応する光ピックアップは、表面からの深さ約１.１ｍｍに情報記録層が存在することを前提として、その位置における記録時または再生時の収差が少なくなるように設計されている。上述の通り、デュアルディスクはＣＤと異なる物理構造を有している。よって、デュアルディスクでは、表面から情報記録層までの深さの違いによる球面収差や非点収差やコマ収差が発生し、良好な信号品質が確保できないことがある。図４（ｄ）は、表面からの情報記録層の深さと、各種の収差の大きさとの関係を示す。表面からの深さ約１.１ｍｍに位置する情報記録層においては各種の収差は最小化されているのに対し、表面からの深さ約０.９ｍｍに位置する情報記録層においては、球面収差、非点収差およびコマ収差が発生している。
【００４１】
次に、図５（ａ）〜（ｃ）を参照してチルトによる収差補正の原理を説明する。
【００４２】
図５（ａ）は、焦点がデュアルディスクのＣＤ面上に存在するときの、デュアルディスクのＣＤ面４０２を再生している様子を示す。これは図４（ｃ）に示す状態に対応する。対物レンズ１０１はＣＤ面４０２に対して傾いていない、すなわち対物レンズ１０１のチルトが無い状態である。
【００４３】
図５（ｂ）は、図５（ａ）と同じフォーカス位置で、対物レンズ１０１をチルトさせた状態でデュアルディスクのＣＤ面４０２を再生している様子を示す。
【００４４】
そして、図５（ｃ）は、チルト設定を変化させたときの各収差の変動量を示す。横軸が対物レンズ１０１のチルト量に対応する。チルト設定を変えることによって、球面収差は大きく変化しないが非点収差とコマ収差が低減するチルト設定が存在することがわかる。
【００４５】
以上から、フォーカス位置の設定変更による合焦点補正と、チルトの設定変更による収差補正とを組み合わせることで、合焦点補正を行い、かつ、球面収差を除く他の収差の低減を行うことが可能になる。これにより、良好な信号品質を確保することが可能となる。
【００４６】
次に、本発明による光ディスク装置が光ディスクの種類を判別する原理を説明する。
【００４７】
本実施形態においては、「ジッタ」と呼ばれる指標値を利用して光ディスクの種類を判別する。そこで、まず図６を参照しながら、ジッタを説明する。
【００４８】
「ジッタ」とは、再生信号の品質を評価する指標値の一つである。
【００４９】
光ディスクから再生されるデータは、光学ピックアップにより再生されＲＦ信号を２値化することにより得られる。この２値化をした各データは、本来であれば、再生クロックの周期（Ｔ）に対して整数倍の周期を有することとなる。よって、光ディスクに記録されたピットを再生するとき再生信号の変換点（ピットエッジ）は、記録される元の信号（原信号）の変換点と時間軸上で一致するのが理想とされている。
【００５０】
図６（ａ）は、理想的なピットに基づく、理想的な再生信号の波形を示している。理想的なピットは、ピット開始点および終了点がずれることなく、目的とされる長さ（３Ｔ、６Ｔなど）が確実に記録されているピットである。たとえば図６（ｂ）は理想的な３Ｔピットを示している。このような理想的なピットであれば、再生信号の変換点（ピットエッジ）は、記録される元になった信号（原信号）の変換点と時間軸上で一致する。
【００５１】
しかし、実際にはピットの記録状態は様々である。たとえば図６（ｃ）は、３Ｔのピットが実際にはより長く（たとえば３．３Ｔで）記録されている例を示す。また図６（ｄ）および（ｅ）は、３Ｔのピットが実際にはより短く（たとえば２．７Ｔで）記録されるとともに、記録開始位置および終了位置がずれている例である。このようなピットに基づく再生信号の波形は、原信号の波形と一致することはなく、変換点位置において誤差（進み、遅れ）が発生する。
【００５２】
また、製造誤差やピックアップの特性等の影響によっても、再生された各データの周期には、時間的なゆれが生じる。すなわち、収差、ノイズ、フォーカス位置、ディスクの製造ばらつきによっても、変換点位置誤差（進み、遅れ）が発生する。
【００５３】
この変換点位置誤差のずれの標準偏差が「ジッタ」である。「ジッタ」が小さいほど信号品質はよいと評価される。一方、ジッタが大きい（悪い）と、ピットエッジにおける立ち上がりや立ち下がりの検出がずれるため、隣の信号と干渉が発生し、再生品質の低下や再生エラーを生じる。なお、ジッタの測定方法はすでに確立されており周知であるため、詳細な説明は省略する。
【００５４】
次に、光ディスクの種類を判別する原理を説明する。
【００５５】
図７（ａ）および（ｂ）はフォーカス位置とチルトの設定に対するジッタ値の変化を示したグラフである。図７（ａ）が通常のＣＤの特性を示し、図７（ｂ）はデュアルディスクのＣＤ面の特性を示している。前者は球面収差が発生しない光ディスクのジッタ特性であり、後者は球面収差が発生する光ディスクのジッタ特性であるということができる。いずれも、横軸がフォーカス位置を示し、縦軸がチルトを示している。フォーカス位置は、対物レンズが光ディスクに近づく方向を正方向とし、光ディスクから遠ざかる方向を負方向としている。
【００５６】
グラフ中の閉曲線は、ジッタの大きさが等しくなる座標点（フォーカス位置、チルト）を結んだ等高線である。内側の等高線ほど、ジッタの値が大きくなり、特性が悪化していることを意味する。
【００５７】
なお、図７（ａ）の領域６０１および図７（ｂ）の領域６０２は、それぞれ評価対象となる設定範囲を示している。図７（ａ）の領域６０１内の点ＡからＣは、それぞれフォーカス位置を変えずにチルト量を変えたときの設定に基づくジッタ値に対応する。図７（ｂ）の領域６０２内の設定ＤからＧも同様である。図７（ｂ）では、点Ｅ周辺のジッタ値が最も悪くなっており、点Ｅから離れるにつれてジッタ値が良化している。
【００５８】
点ＢおよびＦは、通常のＣＤに焦点を合わせるための設定に基づくジッタ値に対応する。点Ｂの状態で合焦させたとき、点Ｂの周辺でフォーカス位置とチルトの設定を変化させてもジッタ値は大きく変化しない。一方、点Ｆの設定状態では表面から情報記録層までの深さが原因で点Ｆには焦点が合っていないため、フォーカス位置とチルトの設定を変化させるとジッタ値が大きく変化する。
【００５９】
図８（ａ）および（ｂ）は、図７でフォーカス位置の設定値を−０．１μｍで固定にしたときのジッタ値の変化を示した図である。図８（ａ）は、図７（ａ）でフォーカス位置の設定値を−０．１μｍに固定したときの通常のＣＤのジッタ値の変化を示したグラフであり、図８（ｂ）は、図７（ｂ）でフォーカス位置の設定値を−０．１μｍに固定したときのデュアルディスクのＣＤのジッタ値の変化を示したグラフである。
【００６０】
図７（ａ）に示されように、領域６０１の範囲内には等高線が密な部分が存在せず、図８（ａ）に示すようにジッタ値が大きく変化するチルトの設定値が無い。よって、点Ａ〜Ｃの間の全ての設定で、良好な信号品質を確保可能とされている８％を下回るジッタ値となっている。一方、図７（ｂ）に示されように、領域６０２の範囲内には、等高線が密になっている部分があり、図８（ｂ）に示すようにジッタが大きく変化するチルトの設定値が存在する。
【００６１】
これらの特性から、たとえば光ディスク起動時のディスク判別時に、フォーカス位置やチルトの設定を変えた時のジッタの変化量によって、光ディスク装置に装填された光ディスクが、球面収差が発生する光ディスク（例えばデュアルディスクのＣＤ面）か否かを判別することが可能となる。
【００６２】
具体的には、ジッタに変化が生じた場合は、デュアルディスクのＣＤ面が装置に装填されていると判別し、そのような変化が検知されない場合は、通常のＣＤが装置に装填されていると判別する。上記で、図４および図５を用いて球面収差が発生する光ディスクをフォーカス位置とチルトの両方の設定を変えて信号品質を確保する原理を説明した。
【００６３】
本ディスク判別でもディスクの反りや表面から情報記録層までの深さの違い、光ディスク装置の製造ばらつきなどの影響で、フォーカス位置やチルトの設定値のいずれか一方を変えるだけでは、通常のＣＤとデュアルディスクのＣＤ面とを判別できるだけのジッタ変化が発生しないことがある。例えば、図７（ｂ）の領域６０２内においてチルトの設定値を固定にして、フォーカス位置を等高線に沿って測定するときである。そのため、本発明では、領域６０１内のフォーカス位置とチルトの設定値を組み合わせて変更することで、ジッタ変化を検知する方法を用いており、この点が極めて重要である。
【００６４】
以下では、本発明による光ディスク装置の実施形態の構成および動作を説明する。
【００６５】
まず、図９を参照しながら、本実施形態における光ディスク装置の機能ブロックの構成を説明する。
【００６６】
図９は、本実施形態による光ディスク装置７００の構成を示す。
【００６７】
本実施形態の光ディスク装置７００は、アクチュエータ駆動部７０６と、回路部７０７と、ディスクモータ７１４と、光ピックアップ７１５とを備えている。アクチュエータ駆動部７０６は、後述するように光ピックアップ７１５内に設けられ、対物レンズ７０２の位置を調整するためのアクチュエータ７０３を駆動する。「対物レンズ７０２の位置」とは、光ディスク７０１の法線方向の位置のみならず、光ディスク７０１に対する対物レンズ７０２の傾き（チルト）も含む。
【００６８】
回路部７０７は光ピックアップ７１５との間で信号のやりとりを行う。ディスクモータ７１４は装填された光ディスク７０１を回転させる。光ピックアップ７１５は光ディスク７０１に光学的にアクセスする。なお、光ディスク７０１は理解を容易にするために示されているに過ぎず、光ディスク装置７００の構成要素ではない。
【００６９】
光ピックアップ７１５は、公知の構成を有していればよい。たとえば光ピックアップ７１５は、レーザ光源７１７と、対物レンズ７０２と、受光部７０５とを備えている。
【００７０】
レーザ光源７１７は、たとえば、ＣＤに対する情報の読み出しおよび／または書き込みを行うための波長約７８５ｎｍの光ビームを放射する。またレーザ光源７１７は、ＤＶＤに対する情報の読み出しおよび／または書き込みを行うための波長約６５５ｎｍの光ビームを放射する。図９では、これらの光ビームを総称して「光ビーム７１１」と記述している。
【００７１】
対物レンズ７０２は、レーザ光源７１７から放射された光ビーム７１１を光ディスク７０１に集束する。受光部７０５は、光ディスク７０１から反射された光ビーム７１１を受けて電気信号に変換する。この電気信号は反射光信号とも称する。
【００７２】
回路部７０７はいわゆる光ディスクコントローラとも呼ばれ、１つの回路チップとして構成されている。ただし、この構成は例である。たとえばコンピュータであるＣＰＵ（中央演算処理装置）とメモリとを有し、回路部７０７の機能（後述）を実現するためにメモリに格納されたコンピュータプログラムをＣＰＵが実行できる構成によっても、同等の機能が実現される。
【００７３】
回路部７０７は、フォーカスエラー信号生成部７０８と、トラッキングエラー信号生成部７０９と、ＲＦ信号生成部７１０と、サーボ制御部７１２と、システム制御部７１６とを備えている。
【００７４】
フォーカスエラー信号生成部７０８は、受光部７０５から出力された電気信号を基に、フォーカスエラー信号（ＦＥ信号）を生成し、サーボ制御部７１２へ供給する。トラッキングエラー信号生成部７０９は、受光部７０５から入力された電気信号を基に、トラッキングエラー信号（ＴＥ信号）を生成し、サーボ制御部７１２へ供給する。ＲＦ信号生成部７１０は、受光部７０５から入力された電気信号を基に、再生信号（ＲＦ信号）を生成し、システム制御部７１６へ供給する。
【００７５】
サーボ制御部７１２は、チルト制御部７１２ａとＦＥ制御部７１２ｂとＴＥ制御部７１２ｃとを備えている。サーボ制御部７１２は、フォーカスエラー信号生成部７０８およびトラッキングエラー信号生成部７０９から供給されたＦＥ信号およびＴＥ信号を基に、ＦＥ制御部７１２ｂで対物レンズ７０２と光ディスク７０１の記録面との相対距離を一定に保つフォーカスサーボ制御や、ＴＥ制御部７１２ｃで光ディスク７０１のトラック上にレーザ照射位置を追従させるトラッキングサーボ制御を行う。また、サーボ制御部７１２は、システム制御部７１６へＦＥ信号およびＴＥ信号を供給する。チルト制御部７１２aはシステム制御部７１６からの指令に基づいて、レーザ７１７の照射角（レーザ７１７の入射角）と光ディスク７０１の表面とがなす角度を制御する。サーボ制御部７１２からの制御信号はアクチュエータ駆動部７０６に供給される。
【００７６】
アクチュエータ駆動部７０６は、サーボ制御部７１２からの制御信号を受信して光ピックアップ７１５に設けられたアクチュエータ７０３に駆動信号を送出し、アクチュエータ７０３を駆動する。アクチュエータ７０３を駆動することにより、対物レンズ７０２の位置を調整することができる。
【００７７】
システム制御部７１６は、光ディスク装置７００のシステム全体を制御する。システム制御部７１６は、ディスク判別部７０４と信号品質測定部７１３とを備えている。システム制御部７１６は、ＲＦ信号生成部７１０から供給されたＲＦ信号を基にして、図９に図示されていないデータ再生部でユーザーデータの再生を行い、また、信号品質測定部７１３でジッタなどの測定を行う。さらにシステム制御部７１６は、サーボ制御部７１２から供給されたＦＥ信号やＴＥ信号、信号品質測定部７１３の測定結果を基にして、ディスク判別部７０４でディスク判別を行う。
【００７８】
また、システム制御部７１６は、対物レンズ７０２のフォーカス位置を示すフォーカス位置やレーザの照射角と光ディスク７０１との角度を示すチルトを制御する制御信号をサーボ制御部７１２へ送る。さらに、システム制御部７１６は、ディスクモータ７１４に対して回転指示や停止処理を行ったり、回転数の設定を行ったりすることで、ディスクモータ７１４の回転制御を行っている。
【００７９】
以下では、図９に加えて、図１０から図１２を参照しながら、通常のＣＤ（球面収差の発生しないディスク、以下では「ディスクＡ」と記述する）とデュアルディスクのＣＤ面（球面収差の発生するディスク、以下では「ディスクＢ」と記述する）のディスク判別の手順を説明する。
【００８０】
図１０は、ディスクＡおよびディスクＢの第１段階判別処理の手順を示す。また、図１１はディスクＡとディスクＢの第２段階判別処理の手順を示す。図１２は、図１０において順に切り替えられるフォーカス位置とチルトの設定１〜６と、図１１において順に切り替えられるフォーカス位置とチルトの設定１〜４とを示す。
【００８１】
図１０は、公知のディスク判別手法により、光ディスク装置の起動途中、装填された光ディスクの種別が通常のＣＤ（ディスクＡ）であると判別された状態を開始点とする。これは、装填された光ディスクがＤＶＤやＢＤであるとは判別されなかったことを意味している。開始点を基準として、図１２の領域１００１中の設定１に示されるフォーカス位置およびチルトが設定される。このときのフォーカス位置とチルトは、光ディスク装置を製造する際に、表面から情報記録層までの深さが規格に準拠しているＣＤで調整された設定値に基づいて決定される。
【００８２】
第１段階判別処理では、装填された光ディスクがディスクＡであるかどうかの判別と、第２段階判別における比較に用いる基準ジッタ値（第１信号値）を求める。
【００８３】
先に、図７と図８を用いて光ディスクの判別の原理を述べたとおり、仮にディスクＡが装填されているときは、領域１００１内でフォーカス位置やチルト設定を変えても、良好な信号品質が確保できるジッタ値（例えば８％）よりも悪くなることが少ない。そのため、第１段階判別処理では、まず領域１００１内でフォーカス位置とチルトの設定を変えて測定したジッタの最悪値が閾値（例えば８％）以下かどうかを判断し、それにより、装填された光ディスクがディスクＡであるかどうかを判別する。
【００８４】
最悪値が閾値以下の場合には装填された光ディスクがディスクＡであると判別する。一方、装填された光ディスクがディスクＡであると判別されなかった場合は、ジッタの最悪値を第１信号値とする。
【００８５】
以下では、図９、図１０、図１２を用いて第１段階判別処理をより詳細に説明する。
【００８６】
回路部７０７は、ステップ８０１においてフォーカス位置の設定を変更し、ステップ８０２においてチルト設定を変更する。なお、フォーカス位置とチルトの設定順序はどちらが先でも良い。
【００８７】
より具体的には以下の通りである。図９に示すように、システム制御部７１６は、フォーカス位置、チルトの設定変更制御信号をサーボ制御部７１２に送り、サーボ制御部７１２は、前記制御信号に従ってＦＥ制御部７１２ｂおよびチルト制御部７１２ａを制御する。
【００８８】
ＦＥ制御部７１２ｂは、対物レンズ７０２を光軸方向にそって移動させ、光ビームの収束点が変わるように駆動信号（制御信号）を生成し、アクチュエータ駆動部７０６に送る。またチルト制御部７１２ａは、光ディスク７０１に対する対物レンズ７０２の傾きを変更する駆動信号（制御信号）を生成し、アクチュエータ駆動部７０６に送る。アクチュエータ駆動部７０６は、ＦＥ制御部７１２ｂおよびチルト制御部７１２ａからの制御信号を受けてアクチュエータ７０３を駆動させることにより対物レンズ７０２を動かす。
【００８９】
ＦＥ制御部７１２ｂおよびチルト制御部７１２ａによる制御信号は、フォーカス位置およびチルトの各設定値に対応する。ＦＥ制御部７１２ｂおよびチルト制御部７１２ａは、この時のフォーカス位置およびチルトの設定値を、表１に従い、ディスクＡの設定値（表１の１回目のフォーカス位置およびチルト）にオフセットを加えて設定する。
【００９０】
【表１】
2009123322.tif 000003
【００９１】
ここで、フォーカス位置、チルトの変更量に付与されている“ｈ”は、値が１６進数であることを示しており、フォーカス位置のオフセットは１０００ｈで０.２５μｍとし、チルトのオフセットは５００ｈで０.２５度とする。なお、表１では測定回数を６回としているが、測定回数は何回でもよく、フォーカス位置やチルトの設定値も、ディスクＡの設定値から一定範囲内にある他の値を用いてもよい。
【００９２】
チルト設定は、ディスクの反りや光ディスク装置の製造ばらつきなどによって、どちらにも傾く可能性があるため、チルトの設定のオフセットはプラス方向とマイナス方向の双方向の設定を含む。
【００９３】
また、フォーカス位置の設定のオフセットは、通常のＣＤのフォーカス位置からフォーカス位置を近づけたプラス方向の設定も含むこととする。その理由は、ディスクＢの表面から情報記録層までの深さのばらつきや光ディスク装置の製造ばらつきなどによっては、通常のＣＤのフォーカス位置設定でも信号品質の確保が可能な場合があるためである。なお、通常よりも表面から情報記録層までの深さが厚いディスクに対応するために、フォーカス位置の設定のオフセットはマイナス方向の設定を含んでもよい。
【００９４】
再び図１０を参照する。ステップ８０３では、信号品質測定部７１３がジッタの測定を行う。具体的には、ＲＦ信号生成部７１０は、受光部７０５で受けた信号をＲＦ信号に変換し、システム制御部７１６の信号品質測定部７１３はＲＦ信号に基づいてジッタを得る。
【００９５】
ステップ８０４において、ディスク判別部７０４は、ジッタ測定回数が所定の回数（６回）以上かどうかを判定する。
【００９６】
ステップ８０４で所定の回数以上ジッタ測定を実施していた場合は、ステップ８０５に進み、所定回数以上実施していない場合は、ステップ８０１に戻って以降の処理を繰り返す。
【００９７】
ステップ８０５において、ディスク判別部７０４は、ステップ８０３で測定したジッタの中から最悪値を第１信号値として選択する。なお、選択するジッタ値は、測定を行ったジッタの中から最良点と最悪点を除いたり、ジッタ値が特定の範囲内の値等の特定の条件を満たすものの中から選択してもよい。
【００９８】
ステップ８０６において、ディスク判別部７０４は、第１信号値が閾値以下か否かを判定し、閾値以下と判定された場合は、ステップ８０７に進み、閾値より大きい場合は、図１１に示す第２段階判定に進む。ここで、前記閾値は、ディスクＡとディスクＢを識別可能なジッタ値（例えば、ジッタ８％）を用いる。
【００９９】
ステップ８０７において、ディスク判別部７０４は、光ディスク装置７００に装填されている光ディスク７０１はディスクＡであると判定する。
【０１００】
ステップ８０８において、システム制御部７１６からサーボ制御部７１２に制御信号を送ることにより、第１段階判別開始前のディスクＡのフォーカス位置およびチルトの設定に戻す。これにより、通常のＣＤ向けの設定が適用される。
【０１０１】
図１１に示すディスクＡとディスクＢの第２段階判別処理では、第１信号値が閾値より大きい場合に実施される。
【０１０２】
第２段階判別処理では、装填された光ディスクがディスクＢであるかどうかの判別を行う。仮に、装填された光ディスクがディスクＢであると判別されなかったときは、その光ディスクはディスクＡであると判別される。このように判断する理由は、仮にディスクＡが装填されていたとしても、製造誤差が比較的大きい場合や汚れが多く付着している場合などにおいては、第１段階判別処理によって判別できない、良好とはいえない特性を有しているものが存在することに鑑みたものである。
【０１０３】
先に図７および図８を用いて光ディスクの判別の原理を述べたとおり、ディスクＢには、図１２の領域１００２内に第１信号値よりも一定量以上ジッタ値が良化するフォーカス位置やチルト設定が存在する。そこで第２段階判別処理では、領域１００２内でフォーカス位置とチルトの設定を変えて測定したジッタの最良値（第２信号値）と第１信号値との差分を用いて、ディスクＢであるかどうかを判別する。特に図７（ａ）および（ｂ）に示されるように、フォーカス位置およびチルトの設定を変更したとき、ディスクＡよりもディスクＢの方が、ジッタの差は大きく現れる。そこで、差分が閾値よりも大きい場合には装填された光ディスクはディスクＢであると判別し、そうでない場合には装填された光ディスクはディスクＡであると判別する。
【０１０４】
以下では、図９、図１１および図１２を用いて第２段階判別処理をより詳細に説明する。
【０１０５】
システム制御部７１６は、ステップ９０１においてフォーカス位置の設定を変更し、ステップ９０２においてチルト設定を変更する。この時のフォーカス位置およびチルトの設定は、表２に従って行う。表１と表２の比較からも明らかなように、第２段階判別処理におけるフォーカス位置及びチルトの変化量は、第１段階判別処理におけるフォーカス位置及びチルトの変化量よりも大きくする。
【０１０６】
【表２】
2009123322.tif 000004
【０１０７】
チルトの設定のオフセットは、第１段階判別処理と同様に、ディスクの反りや光ディスク装置の製造ばらつきなどによって、どちらにも傾く可能性があるため、プラス方向とマイナス方向の双方向の設定を含む。
【０１０８】
また、フォーカス位置の設定のオフセットは、通常のＣＤのフォーカス位置からフォーカス位置を遠ざけた設定にすることにより、ディスクＡの場合にはジッタ値に変化は生じないが、ディスクＢの場合は合焦点補正され、良好なジッタとなるため、マイナス方向に設定することとする。なお、通常よりも表面から情報記録層までの深さが厚いディスクに対応するために、フォーカス位置の設定のオフセットをプラス方向に設定してもよい。
【０１０９】
表２のフォーカス位置およびチルトは、ディスクＡのフォーカス位置およびチルトの設定をそれぞれ００００ｈとした時のオフセット値である。なお、表２では測定回数を２回としているが、測定回数は何回でもよく、第２段階判別のフォーカス位置やチルトの設定値も、ディスクＡの設定値からディスクＡとディスクＢを識別可能となる量以上離れている、他の設定値を用いてもよい。例えば、領域１００２内の１，２の設定でトラッキングサーボ制御が不安定で、ジッタ値の測定を行うことが出来なかった場合は、領域１００２内の３，４の設定でジッタ値を測定し、３，４のそれぞれの設定におけるジッタ値から第２信号値を選択しても良いし、領域１００２内の１，２，３，４の４点の設定でジッタ値を測定し、４点のジッタ値の中から第２信号値を選択しても良い。
【０１１０】
ステップ９０３において、信号品質測定部７１３はジッタの測定を行う。
【０１１１】
ステップ９０４において、信号品質測定部７１３はジッタ測定回数が所定の回数（２回）以上かどうかを判定する。ステップ９０４で所定の回数以上ジッタ測定を実施している場合はステップ９０５に進み、所定回数以上実施していない場合はステップ９０１に戻って以降の処理を繰り返す。
【０１１２】
ステップ９０５において、ディスク判別部７０４は、ステップ９０３で測定したジッタの中から最も良いジッタ値を第２信号値として選択する。なお、選択するジッタ値は、測定を行ったジッタの中から最良点と最悪点を除いたり、ジッタ値が特定の範囲内の値等の特定の条件を満たすものの中から選択してもよい。
【０１１３】
ステップ９０６において、ディスク判別部７０４は、第１信号値から第２信号値への変化量が所定の閾値以上良化しているかどうかを判定する。ここで、前記閾値は、ディスクＡとディスクＢを識別可能なジッタの変化量（例えば、ジッタ５％）を用いる。ステップ９０６において閾値以上良化していると判定された場合は、処理はステップ９０７に進み、閾値以上の良化が発生していないと判定した場合はステップ９０９に進む。
【０１１４】
ステップ９０７において、ディスク判別部７０４は、光ディスク装置７００に挿入されている光ディスク７０１がディスクＢであると判別する。そしてステップ９０８において、システム制御部７１６は、表２の中から第２信号値に対応したフォーカス位置およびチルトを選択し、設定する。
【０１１５】
ステップ９０９では、ディスク判別部７０４で、光ディスク装置７００に挿入されている光ディスク７０１をディスクＡと判別する。
【０１１６】
ステップ９１０では、第１段測定を開始する前のディスクＡのフォーカス位置設定およびチルトの設定に戻す。
【０１１７】
上記のように、本実施形態によれば、フォーカス位置およびチルトの設定を変更して測定を行ったジッタ値に基づいて、ディスクＡとディスクＢの判別を行い、判別結果に応じてフォーカス位置およびチルトの設定を変更する。その後、判別した光ディスクからデータを読み出す。フォーカス位置およびチルトは、判別結果に応じた光ディスクに適切な状態に設定されているため、高品質な再生信号を得ることが可能になる。
【０１１８】
図１０のステップ８０４および図１１のステップ９０４において「Ｎｏ」と判断され、ＦＥ制御部７１２ｂおよびチルト制御部７１２ａは、設定が変更された場合であっても、必ずしも双方の制御信号をその設定の変更に応じて変更する必要は無く、少なくとも一方が設定の変更に応じて制御信号を変更してもよい。たとえば図１０のステップ８０４に関する表１の例では、第１回目から第３回目まで、および、第４回目から第６回目まではフォーカス位置は変化していない。よって、第２回目および第３回目の設定に際しては、ＦＥ制御部７１２ｂは制御信号を変化させず、チルト制御部７１２ａのみが制御信号を変化させ、アクチュエータ駆動部７０６に送ればよい。表１と異なる順序で設定を変更する場合には、ＦＥ制御部７１２ｂのみが制御信号を変化させ、チルト制御部７１２ａは制御信号を変化させなくてもよい。図１１のステップ９０４に関する表２の例でも同様である。
【０１１９】
なお、本実施形態は、あくまで本発明を説明するための１例であり、この実施形態によって本発明が限定されるものではない。
【０１２０】
本実施形態では、デュアルディスクとＣＤの判別を例としてあげたが、表面から情報記録層までの深さが規格値と異なり球面収差が発生するＣＤと通常のＣＤに適用しても良い。さらに、ＣＤ用光学系だけでなく、表面から情報記録層までの深さが規格値と異なり球面収差が発生するＤＶＤと通常のＤＶＤ、球面収差が発生するＢＤの判別といった他の光学系に適用してもよい。また、片面２層のハイブリッドディスク（例えばＢＤとＨＤ-ＤＶＤとを張り合わせたディスク）におけるＢＤとＨＤ−ＤＶＤの判別に適用しても良い。前記ハイブリッドディスクは、ＢＤ層とＨＤ−ＤＶＤ層のいずれに対しても同一の光学系で再生することが可能であり、さらに互いの層で表面から情報記録層までの深さが異なるため、本発明の判別方法を適用するのに適している。
【０１２１】
なお、本実施形態では、判別の際の信号品質の指標としてジッタを用いたが、他の再生信号(例えばＲＦ信号)やサーボ信号(例えばフォーカスエラー信号やトラッキングエラー信号)などを用いてもよい。
【０１２２】
なお、第１段階測定や第２段階測定では、複数の条件でジッタ測定を行ったが、測定条件はそれぞれ１点ずつでもよい。
【０１２３】
なお、本実施形態で述べたチルトは、対物レンズを傾けてディスクとの相対角度を変化させるレンズチルトやピックアップを傾けてディスクとの相対角度を変化させるメカチルトのいずれか、または両方であってもよい。
【０１２４】
なお、フォーカス位置やチルトの設定を変えた場合、サーボの再調整（例えば、トラッキングエラー信号振幅調整やトラッキングエラー信号バランス調整）を実施してもよい。
【産業上の利用可能性】
【０１２５】
本発明に係る光ディスク装置は、球面収差補正を実施するための機構の変更を必要とせず球面収差が発生する光ディスクの判別、および、信号品質の確保を行うことができるため、コストの大きな上昇を招くことなく、多様な光ディスクに対応できる光ディスク装置や、このような光ディスク装置を備える電子機器に好適に用いられる。
【図面の簡単な説明】
【０１２６】
【図１】球面収差が発生している状態を示す。
【図２】（ａ）はＣＤ規格に準拠したＣＤ２００を再生している様子を示す図であり、（ｂ）はデュアルディスク２０１のＣＤ面を再生している様子を示す図である。
【図３】（ａ）および（ｂ）は、それぞれ、ＣＤ２００およびデュアルディスク２０１の断面を概略的に示す図である。
【図４】（ａ）は通常のＣＤを再生している様子を示す図であり、（ｂ）は通常のＣＤのフォーカス位置の設定でデュアルディスクのＣＤ面を再生している様子を示す図であり、（ｃ）は（ｂ）の状態から対物レンズ１０１を光入射面から遠ざけたフォーカス位置の設定で再生している様子を示す図であり、（ｄ）は、表面からの情報記録層の深さと、各種の収差の大きさとの関係を示す図である。
【図５】（ａ）は焦点がデュアルディスクのＣＤ面上に存在するときの、デュアルディスクのＣＤ面４０２を再生している様子を示す図であり、（ｂ）は図５（ａ）と同じフォーカス位置で、対物レンズ１０１をチルトさせた状態でデュアルディスクのＣＤ面４０２を再生している様子を示す図であり、（ｃ）はチルト設定を変化させたときの各収差の変動量を示す図である。
【図６】（ａ）は、理想的なピットに基づく理想的な再生信号の波形を示す図であり、（ｂ）〜（ｅ）は種々の記録状態のピットを示す図である。
【図７】（ａ）および（ｂ）はそれぞれ、通常のＣＤおよびデュアルディスクのＣＤ面に関する、フォーカス位置とチルトの設定に対するジッタ値の変化を示したグラフである。
【図８】（ａ）および（ｂ）は、図７でフォーカス位置の設定値を−０．１μｍで固定にしたときのジッタ値の変化を示した図である。
【図９】本実施形態による光ディスク装置７００の構成を示す図である。
【図１０】ディスクＡおよびディスクＢの第１段階判別処理の手順を示す。
【図１１】ディスクＡとディスクＢの第２段階判別処理の手順を示す。
【図１２】図１０において順に切り替えられるフォーカス位置とチルトの設定１〜６と、図１１において順に切り替えられるフォーカス位置とチルトの設定１〜４とを示す。
【符号の説明】
【０１２７】
１０１、７０２  対物レンズ
２００  ＣＤ
２０１  デュアルディスク
２０２、２０３、３０３、３０７，３０９、４０１、４０２  情報記録層
３０１  裏面（レーベル面）
３０２、３０６、３０８、４００  表面（光入射側表面）
３０４  レーベル層
６０１  領域
７００  光ディスク装置
７０１  光ディスク
７０３  アクチュエータ
７０４  ディスク判別部
７０５  受光部
７０６  アクチュエータ駆動部
７０７  回路部
７０８  フォーカスエラー信号生成部
７０９  トラッキングエラー信号生成部
７１０  ＲＦ信号生成部
７１１  光ビーム
７１２  サーボ制御部
７１２ａ  チルト制御部
７１２ｂ  ＦＥ制御部
７１２ｃ  ＴＥ制御部
７１３  信号品質測定部
７１４  ディスクモータ
７１５  光ピックアップ
７１６  システム制御部
７１７  光源
１００１  第１段階判別
１００２  第２段階判別
【図１】
2009123322.tif 000005
【図２】
2009123322.tif 000006
【図３】
2009123322.tif 000007
【図４】
2009123322.tif 000008
【図５】
2009123322.tif 000009
【図６】
2009123322.tif 000010
【図７】
2009123322.tif 000011
【図８】
2009123322.tif 000012
【図９】
2009123322.tif 000013
【図１０】
2009123322.tif 000014
【図１１】
2009123322.tif 000015
【図１２】
2009123322.tif 000016